(57)【要約】【課題】部品点数を削減し、適切に保管することのできる被記録媒体トレイを備えた記録装置を提供することにある。【解決手段】被記録媒体を載置するペーパーサポート１２２と開口部１０３とを備えたインクジェット式プリンタ１００であって、ペーパーサポート１２２は、用紙等を載置可能な状態と、開口部１０３を被覆する状態とになるように形成されたことを特徴としている。これにより、ペーパーサポート１２２は用紙等を載置する部品として、また開口部１０３を被覆する部品として兼用することができる。このため、部品点数を削減しコストを低減することができる。【選択図】図２
2007276931.tif 000002
【特許請求の範囲】
【請求項１】
被記録媒体に画像等を記録する記録装置本体と、前記被記録媒体を載置する被記録媒体トレイと、前記記録装置本体の内部作業用の開口部とを備えた記録装置であって、
前記被記録媒体トレイは、前記被記録媒体を載置可能な状態と、前記開口部を被覆する状態とになるように形成されたことを特徴とする記録装置。
【請求項２】
前記被記録媒体トレイは、前記記録装置本体に回動可能に支持されることを特徴とする請求項１に記載の記録装置。
【請求項３】
前記被記録媒体トレイは、前記被記録媒体を載置可能な状態とした際に、前記被記録媒体を給送又は排出する所定位置に支持されることを特徴とする請求項１又は２に記載の記録装置。
【請求項４】
前記被記録媒体トレイは、前記開口部を被覆する状態において、前記記録装置本体の外面と面一になるように形成されたことを特徴とする請求項１〜３の何れか一項に記載の記録装置。
【請求項５】
前記被記録媒体トレイは、前記開口部を被覆する状態において、前記開口部の全面を被覆可能とするように形成されたことを特徴とする請求項１〜４の何れか一項に記載の記録装置。
【請求項６】
前記被記録媒体トレイは、前記被記録媒体を載置可能な状態とした際に前記被記録媒体が載置される被記録媒体載置面が、前記開口部を被覆する状態において前記記録装置本体の内部に対向する被覆面であることを特徴とする請求項１〜５の何れか1項に記載の記録装置。
【請求項７】
前記被記録媒体トレイは、記録前の被記録媒体を載置することを特徴とする請求項１〜６の何れか一項に記載の記録装置。
【発明の詳細な説明】
【技術分野】
【０００１】
本発明は、用紙等の被記録媒体を載置する被記録媒体トレイを備えた記録装置に関する。
【背景技術】
【０００２】
記録装置の１つであるインクジェット式プリンタや熱転写式プリンタは、画像を記録する用紙が載置された給紙トレイから用紙を搬送し、記録ヘッドが搭載されたキャリッジを用紙の搬送直交方向（主走査方向）に往復移動させることにより記録し、画像が記録された用紙を排紙トレイへ搬送して載置させる。
【０００３】
このような記録装置においては、給紙トレイや排紙トレイ等の被記録媒体トレイが記録装置本体から着脱可能になっているものがある（特許文献１参照）。
【０００４】
【特許文献１】特開２００３−２０１０３４号公報
【発明の開示】
【発明が解決しようとする課題】
【０００５】
上述したような記録装置においては、一般に部品点数を削減しコストを低減することが求められている。また、被記録媒体トレイを記録装置の本体から離脱可能とした場合、記録装置をコンパクトな状態で保管できる。しかしながら、被記録媒体トレイを紛失してしまう虞があり、記録装置を使用する際に被記録媒体トレイを利用することができない虞がある。
【０００６】
本発明は、上記のような種々の課題に鑑みなされたものであり、その目的は、部品点数を削減し、適切に保管することのできる被記録媒体トレイを備えた記録装置を提供することにある。
【課題を解決するための手段】
【０００７】
上記目的達成のため、本発明の記録装置では、被記録媒体に画像等を記録する記録装置本体と、前記被記録媒体を載置する被記録媒体トレイと、前記記録装置本体の内部作業用の開口部とを備えた記録装置であって、前記被記録媒体トレイは、前記被記録媒体を載置可能な状態と、前記開口部を被覆する状態とになるように形成されたことを特徴としている。これにより、被記録媒体トレイは、用紙等の被記録媒体を載置する部品として、また開口部を被覆する部品として兼用することができる。このため、部品点数を削減しコストを低減することができる。
【０００８】
また、前記被記録媒体トレイは、前記記録装置本体に回動可能に支持されることを特徴としている。これにより、被記録媒体トレイを回動させることで被記録媒体を載置可能な状態としたり、開口部を被覆する状態にしたりすることができる。このため、部品点数を削減しコストを低減することができる。また、開口部を被覆した状態で被記録媒体トレイを保管できるため、被記録媒体トレイを紛失してしまうのを防止することができる。
【０００９】
また、前記被記録媒体トレイは、前記被記録媒体を載置可能な状態とした際に、前記被記録媒体を給送又は排出する所定位置に支持されることを特徴としている。これにより、被記録媒体トレイが所定位置に支持され用紙等の被記録媒体を確実に載置することができる。
【００１０】
また、前記被記録媒体トレイは、前記開口部を被覆する状態において、前記記録装置本体の外面と面一になるように形成されたことを特徴としている。これにより、被記録媒体トレイが開口部を被覆した際に、被記録媒体トレイと記録装置本体の外面との間を隙間なく被覆することができる。このため、記録装置本体の内部へ埃等が侵入するのを防止することができる。また、被記録媒体トレイが開口部を被覆した際に、被記録媒体トレイは記録装置本体の外面に対して突出しないため邪魔になることがない。
【００１１】
また、前記被記録媒体トレイは、前記開口部を被覆する状態において、前記開口部の全面を被覆可能とするように形成されたことを特徴としている。これにより、被記録媒体トレイが開口部を被覆する際に、開口部全面を確実に被覆することができる。このため、記録装置本体の内部へ埃等が侵入するのを防止することができる。
【００１２】
また、前記被記録媒体トレイは、前記被記録媒体を載置可能な状態とした際に前記被記録媒体が載置される被記録媒体載置面が、前記開口部を被覆する状態において前記記録装置本体の内部に対向する被覆面であることを特徴としている。これにより、被記録媒体トレイが開口部を被覆した際に、被記録媒体載置面に埃等が積もって汚れるのを防止することができる。このため、記録装置の使用の際に埃等を一掃することなく被記録媒体を載置して記録装置を使用することができる。
【００１３】
また、前記被記録媒体トレイは、記録前の被記録媒体を載置することを特徴としている。これにより、記録前の被記録媒体を載置する被記録媒体トレイを、被記録媒体を載置する部品として、また開口部を被覆する部品として兼用することができる。このため、部品点数を削減しコストを低減することができる。
【発明を実施するための最良の形態】
【００１４】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１５】
図１は、本発明の一実施形態に係る記録装置の１つであるインクジェット式プリンタの未使用時の外部構成全体の斜視図、図２は、このインクジェット式プリンタの使用時の外部構成全体の斜視図、図３は、その内部構成の概略を示す斜視図であり、図４は、その内部構成概略を示す断面側面図である。このインクジェット式プリンタ１００は、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１６】
インクジェット式プリンタ１００は、図１及び図２に示すように全体が幅方向に長く延びる略直方体状の上部ハウジング１０１と下部ハウジング１０２とを備えている。上部ハウジング１０１と下部ハウジング１０２とは、締結されている。
【００１７】
そして、上部ハウジング１０１の上面における図示左後方側には操作部１１０が配設され、上面における背面側には給紙部１２０が配設され、前面側には排紙部１３０が配設されている。更に、このインクジェット式プリンタ１００の内部には、図３及び図４に示すように、用紙搬送部１４０、及び記録部１５０が配設されている。
【００１８】
上部ハウジング１０１の上面の前面部には、図２に示すように矩形状の開口部１０３が形成されている。この開口部１０３は、ペーパーサポート１２２が前方に倒伏することで覆われる。また、上部ハウジング１０１のうち、ペーパーサポート１２２が前方に倒伏した際に重なる部分は、ペーパーサポート１２２を収容可能とする凹状のペーパーサポート収容部１０１ａが形成されている。上部ハウジング１０１とペーパーサポート収容部１０１ａとの段差は、ペーパーサポート１２２の厚みと略一致するように形成されている。ユーザは、ペーパーサポート１２２を回動させて開口部１０３を開放することにより、インクカートリッジの交換作業や用紙搬送部１４０や記録部１５０等の内部機構のメンテナンス作業等を簡易に行うことができる。
【００１９】
操作部１１０は、図１及び図２に示すように、パワーをオン・オフするパワー系、用紙の頭出し等を操作したりインクのフラッシング等を操作したりする操作系、画像処理等を行う処理系等のボタン１１３が配設されている。操作部１１０下方のインクジェット式プリンタ１００の内部には、プリンタコントローラを構成する図示しないメイン基板が配設されていて、ＣＰＵ、ＲＯＭ、ＲＡＭ、ＡＳＩＣ等の制御素子や記憶素子、及びその他の各種回路素子が装着されている。メイン基板上端には、パワー系、操作系のボタン１１３が押された時にそれぞれ発光して、ユーザにボタン１１３のオン・オフを確認し得るように配置されたＬＥＤがボタン１１３ごとに突設されている。
【００２０】
給紙部１２０は、図１及び図２に示すように、上方に向かって矩形状に開口した給紙口１２１と、ペーパーサポート１２２と、ペーパーサポート１２２を回動可能に支持するペーパーサポート支持部１２３を備えている。
【００２１】
ペーパーサポート１２２は、インクジェット式プリンタ１００の使用時には給紙する用紙を１枚もしくは複数枚サポートするように機能し、インクジェット式プリンタ１００未使用時には開口部１０３を覆い用紙搬送部１４０や記録部１５０等の内部機構への埃等の侵入を防止する部品として機能する。
【００２２】
ペーパーサポート支持部１２３は、インクジェット式プリンタ１００の図２における図示左右側壁１０１ｂから主走査方向内側に向かって突出した突起である。そして、このペーパーサポート支持部１２３に、ペーパーサポート１２２の軸穴１２２ａが嵌まるように取り付けられる。これにより、ペーパーサポート１２２は図２における矢印Ａで示すように回動可能となる。
【００２３】
ここで、例えばインクジェット式プリンタ１００の使用時において、ユーザがペーパーサポート１２２をインクジェット式プリンタ１００の後方に倒伏していくと、ペーパーサポート１２２の用紙載置面の裏面が、図４に示すプリンタ後壁部１０１ｃに当接して所定位置に支持される。本実施形態においては、ペーパーサポート１２２がインクジェット式プリンタ１００の斜め後方に倒伏した際に支持される。これにより、用紙載置面に用紙等を載置した状態で確実にペーパーサポート１２２を支持することができる。
【００２４】
一方、ユーザがペーパーサポート１２２をインクジェット式プリンタ１００の前方に倒伏していくと、ペーパーサポート１２２は開口部１０３の全面を覆うように倒伏し、ペーパーサポート収容部１０１ａに収容される。ペーパーサポート１２２は、ペーパーサポート収容部１０１ａに収容された際に、周囲の上部ハウジング１０１と面一になるように形成されている。これにより、例えばインクジェット式プリンタ１００の未使用時には、ペーパーサポート１２２とインクジェット式プリンタ１００本体との間を隙間なく被覆することができ、開口部１０３の全面を確実に被覆することができる。このため、インクジェット式プリンタ１００の内部へ埃等が侵入するのを防止することができる。また、ペーパーサポート１２２が周囲の上部ハウジング１０１より突出しないため邪魔になることがない。
【００２５】
更に、ペーパーサポート１２２は図２における矢印Ａで示すように回動するため、インクジェット式プリンタ１００の使用時に用紙等を載置する用紙載置面が、開口部１０３を被覆した際にインクジェット式プリンタ１００の内部に対向する被覆面となる。これにより、インクジェット式プリンタ１００の未使用時に用紙載置面に埃等が積もって汚れるのを防止することができる。このため、インクジェット式プリンタ１００の使用の際に埃等を一掃することなく用紙等を載置して使用することができる。
【００２６】
このように、ペーパーサポート１２２はインクジェット式プリンタ１００の使用時には用紙等を載置する部品として、また未使用時には開口部１０３を被覆する部品として兼用可能である。これにより、インクジェット式プリンタ１００の部品点数を削減しコストを低減することができる。また、インクジェット式プリンタ１００の未使用時に開口部１０３を被覆した状態でペーパーサポート１２２を保管できるため、ペーパーサポート１２２の紛失等を防止することができる。
【００２７】
このペーパーサポート１２２の下方側には、図２及び図３に示すように、用紙の両サイドエッジをガイドする固定エッジガイド２３と可動エッジガイド２４等を備えている。固定エッジガイド２３は、図示右側壁に沿う形状でホッパ４１と一体形成され、可動エッジガイド２４は、図示左側壁に沿う形状に形成されている。可動エッジガイド２４は、後壁のガイドレールに沿って図示左側壁から右側壁の方向に摺動可能なように取り付けられている。固定エッジガイド２３と可動エッジガイド２４とは、用紙のサイズが異なっても確実に用紙の両側縁をガイドすることができるので、給送を高精度に行うことができる。
【００２８】
排紙部１３０は、図２に示すように、前方に向かって矩形状に開口した排紙口１３１と、排紙される用紙を１枚もしくは複数枚スタックする機能を併せ持ったスタッカ１３２を備えている。このスタッカ１３２は、排紙口１３１の下方のプリンタ本体に形成されたスタッカ差込口１３３に差し込んで取り付けることができる。従って、ユーザは、インクジェット式プリンタ１００の使用又は不使用に応じて、スタッカ１３２を自由に着脱することができる。したがって、不使用時においては、スタッカ１３２を離脱させておくことにより、インクジェット式プリンタ１００をコンパクトにすることができる。更に、記録後の用紙は常に前面側から排紙されるので、ユーザは用紙を容易に取り出すことができる。
【００２９】
用紙搬送部１４０は、図４に示すように、給紙部１２０から排紙部１３０に掛けて配設されており、自動給紙機構１４１、搬送機構１４２、排紙機構１４３を備えている。自動給紙機構１４１は、ペーパーサポート１２２にサポートされている用紙を給送するために持ち上げるホッパ４１、このホッパ４１により持ち上げられた用紙を取り出す給紙ローラ４２、この給紙ローラ４２により重送された用紙を１枚のみに分離するリタードローラ４３、このリタードローラ４３により分離された残りの用紙をホッパ４１へ戻す紙戻しレバー４４等を備えている。
【００３０】
ホッパ４１は、用紙が載置可能な平板状に形成されて後壁と略平行に配設されており、下端が給紙ローラ４２の近傍に位置し、上端が後壁頂部に近接して位置するように配設されている。そして、ホッパ４１は、後壁に一端が取り付けられた図示しない圧縮バネの他端が下端側の裏面に取り付けられており、この圧縮バネの伸縮により上端側を中心に下端側が旋回するように配設されている。
【００３１】
給紙ローラ４２は、断面の一部が切り欠かれたＤ字状に形成されてホッパ４１の下端近傍に配設されており、間欠的に回転してホッパ４１により持ち上げられた用紙を摩擦給送するようになっている。リタードローラ４３は、給紙ローラ４２と当接可能に配設されており、給紙ローラ４２により用紙が重送されたときに最上層の用紙のみを下層の用紙から摩擦分離するようになっている。紙戻しレバー４４は、爪状に形成されて給紙ローラ４２の近傍に配設されており、リタードローラ４３により分離された下層の用紙を爪に掛けてホッパ４１へ戻すようになっている。
【００３２】
搬送機構１４２は、記録動作に同期して副走査方向に用紙を送る紙送りローラ４５とその従動ローラ４６等が配設されている。紙送りローラ４５は、プラテン１５３の搬送上流側に配設されており、給紙ローラ４２により給送される用紙を従動ローラ４６と共に挟持してプラテン１５３へ送り出すようになっている。
【００３３】
排紙機構１４３は、排紙ローラ４７と第１ギザローラ４８ａ及び第２ギザローラ４８ｂ等を備えている。第１ギザローラ４８ａは、プラテン１５３の搬送下流側に配設され、第２ギザローラ４８ｂと排紙ローラ４７は、第１ギザローラ４８ａの搬送下流側に対向配設されており、プラテン１５３を通過してくる用紙を先ず第１ギザローラ４８ａで排送し、続いて第２ギザローラ４８ｂと排紙ローラ４７で挟持してスタッカ１３２上へ排紙するようになっている。尚、第１ギザローラ４８ａ及び第２ギザローラ４８ｂは、図示しない同一の保持部材により保持されている。
【００３４】
記録部１５０には、記録動作に同期して主走査方向に移動するキャリッジ１５１、記録動作に同期してインクを吐出する記録ヘッド１５２、記録時の用紙を平坦に保持するプラテン１５３等が配設されている。キャリッジ１５１は、プラテン１５３の上方でキャリッジガイド１５４に支持されてキャリッジベルト１５５に連結されており、キャリッジモータ１５６によってキャリッジベルト１５５が作動すると、キャリッジベルト１５５の動きに連行され、キャリッジガイド１５４に案内されて往復移動するようになっている。このキャリッジ１５１の内部には、複数のインクカートリッジが抜き差し可能なカートリッジ収納部が形成されている。
【００３５】
記録ヘッド１５２は、プラテン１５３と所定の間隔が空くようにしてキャリッジ１５１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。
【００３６】
尚、上述した実施形態では、ペーパーサポート１２２が開口部１０３を被覆する部品として兼用されるものとしたがこれに限られない。例えば、スタッカ１３２をインクジェット式プリンタ１００の形状に沿うように折り畳み可能に構成し、開口部１０３を被覆するようにしても良い。
【００３７】
また、上述した実施形態では、ペーパーサポート１２２は、ペーパーサポート支持部１２３に支持されるものとしたがこれに限られるものではない。例えば、ペーパーサポート１２２をインクジェット式プリンタ１００から着脱可能に構成し、インクジェット式プリンタ１００の使用時には用紙等を載置して、未使用時には開口部１０３を被覆するようにしても良い。
【００３８】
また、上述した実施形態では、ペーパーサポート１２２は、ペーパーサポート支持部１２３を回動軸として回動することで、用紙等を載置する機能と開口部１０３を被覆する機能とを果たしていたがこれに限られるものではない。例えば、ペーパーサポート１２２をインクジェット式プリンタ１００の前方にスライドさせ開口部１０３を被覆するようにしても良い。
【００３９】
また、上述した実施形態では、インクジェット式プリンタ１００の使用時に、ペーパーサポート１２２の用紙載置面の裏面が、プリンタ後壁部１０１ｃに当接して所定位置に支持されるものとしたがこれに限られるものではない。例えば、プリンタ後壁部１０１ｃの近傍にペーパーサポート１２２を所定位置に支持する別個の部材を設けるようにしても良い。また、ペーパーサポート１２２側に、ペーパーサポート１２２を所定位置にする別個の部材を設けるようにしても良い。
【産業上の利用可能性】
【００４０】
被記録媒体トレイを備えた記録装置であれば、例えばファクシミリ装置、コピー装置等であっても適用可能である。
【図面の簡単な説明】
【００４１】
【図１】本発明の一実施形態に係る記録装置の１つであるインクジェット式プリンタの未使用時の外観構成全体を示す斜視図である。
【図２】図１のプリンタの使用時の外部構成全体を示す斜視図である。
【図３】図１のプリンタの内部構成の概略を示す斜視図である。
【図４】図１のプリンタの内部構成の概略を示す断面側面図である。
【符号の説明】
【００４２】
１００  インクジェット式プリンタ、１０１  上部ハウジング、１０１ａ  ペーパーサポート収容部、１０３  開口部、１１０  操作部、１２０  給紙部、１２２  ペーパーサポート、１２２ａ  軸穴、１２３ペーパーサポート支持部、１３０  排紙部、１４０  用紙搬送部、１５０  記録部。
【図１】
2007276931.tif 000003
【図２】
2007276931.tif 000004
【図３】
2007276931.tif 000005
【図４】
2007276931.tif 000006